【事件の表示】
　特願２０１１−５４０２６２「スケーラブルなＰＥＴおよびＳＰＥＣＴシステムのための構成ブロックとしての自律検出器モジュールならびにそのための方法」拒絶査定不服審判事件〔平成２２年　６月１７日国際公開、ＷＯ２０１０／０６７２２０、平成２４年　５月２４日国内公表、特表２０１２−５１１７１７〕について、次のとおり審決する。
【結　論】
　本件審判の請求は、成り立たない。
【理　由】
第１　手続の経緯  
　本願は、平成２１年１１月１６日（パリ条約による優先権主張日：平成２０年１２月１０日　アメリカ合衆国）を国際出願日とする出願であって、平成２７年３月５日付けで拒絶査定がなされたところ、同年６月２４日に拒絶査定不服審判が請求され、それと同時に手続補正がなされ、さらに平成２８年３月９日付けで当審から拒絶理由が通知され、同年５月２７日付けで意見書及び手続補正書が提出されたものである。　　　
  
　
第２　本願発明  
　本願の請求項１〜２０に係る発明は、平成２８年５月２７日付け手続補正で補正された特許請求の範囲の請求項１〜２０に記載された事項により特定される発明であると認める。　
　そのうち、請求項１に係る発明(以下、「本願発明」という。)は、以下の事項により特定される発明である。
  
 「【請求項１】
　核スキャン検出器システムであって：
　複数の核検出器器具を有する核スキャナと；
　各検出器器具に着脱可能式に結合された一つまたは複数の自律的検出器モジュール（ADM）とを有しており、各ADMは前記検出器器具に対して個別に着脱可能であり、各ADMは：
　　一つまたは複数のシンチレーション結晶を有するシンチレーション結晶アレイと；
　　前記シンチレーション結晶アレイの個別のセクタにおけるシンチレーション・イベントを検出する一つまたは複数の光検出器と；
　　検出された各シンチレーション・イベントにタイムスタンプ付けし、被験体内でコンプトン散乱されたイベントを除去するエネルギー・ゲーティング・プロトコルを実行し、タイムスタンプ付けされエネルギー・ゲーティングされたシンチレーション・イベント情報を出力する処理モジュールとをそのADM内に含んでいる、システム。」
  
　
第３　平成２８年３月９日付け拒絶理由の概要 
　平成２８年３月９日付け拒絶理由は、請求項１に係る発明に対する拒絶理由を含むものであって、その概要は、請求項１に係る発明は、その出願の優先日前に日本国内又は外国において、頒布された下記の刊行物に記載された発明又は電気通信回線を通じて公衆に利用可能となった発明に基いて、その出願の優先日前にその発明の属する技術の分野における通常の知識を有する者が容易に発明をすることができたものであるから、特許法第２９条第２項の規定により特許を受けることができないというものである。
　
　　　　　　　　　　　　　　　　　記
　
刊行物１：特開２００８−１０７３２６号公報 
刊行物２：特開２００４−１４４５２９号公報 
  
　
第４　刊行物記載の事項  
１　刊行物１に記載された事項　
　本願の優先権主張日前に頒布された特開２００８−１０７３２６号公報（以下、「刊行物１」という。）には、次の事項が記載されている。（下線は、参考のために当審が付したものである。）
　
（引１−１）「【００１７】 
　図１に示すように、
核医学診断装置としてのＰＥＴ装置１は、カメラ（撮像装置）１１，データ処理装置１２，操作コンソール１３等を含んで構成されている。
　
【００１８】 
　操作コンソール１３は、ＰＥＴ装置１の断層画像やＰＥＴ装置１の状態チェック結果等を表示する表示装置１３ａ，キーボードやマウス等の入力操作部（入力手段）１３ｂを有している。 
　
【００１９】 
　図２に示すように、
カメラ１１の内部には、被検体Ｐから放出されるγ線（放射線）を検出するため、半導体放射線検出器（放射線検出器、以下、単に検出器と称する）２１（図４，図５参照）を多数備えた結合基板（ユニット基板）２０（詳細は図６参照）を複数収納した検出器ユニット２が、円周方向に多数配置されており、被検体Ｐの体内から放出されるγ線を検出器２１で検出する。
　
【００２０】 
　
検出器ユニット２は、γ線の検出エネルギ、検出時刻を計測するための集積回路（ＡＳＩＣ）を前記結合基板２０上に有しており、検出したγ線の検出エネルギや検出時刻を測定したり、γ線を検出した検出器２１のアドレスを検知したり、検出したγ線の検出エネルギのデータ（検出エネルギ値情報）、検出時刻のデータ（検出時刻情報）および前記した検出器２１のアドレスに対応する検出器ＩＤ（検出器アドレス情報）を含む情報をパケットデータ（検出放射線情報）としてデータ処理装置１２に出力するようになっている。
　
【００２１】 
　図２に示すようにデータ処理装置１２は、図示しない記憶装置、同時計測装置１２Ａおよび断層像情報作成装置１２Ｂを有する。データ処理装置１２は、パケットデータ（検出放射線情報）を取り込む。同時計測装置１２Ａは、前記パケットデータ、特に検出時刻のデータおよび検出器ＩＤにもとづいて同時計測判定を行う。そして、５１１ｋｅＶのγ線の検出位置を特定し記憶装置に記憶する。断層像情報作成装置１２Ｂは、この特定した位置にもとづいて機能画像を作成して、表示装置１３ａに表示する。」 
  
 （引１−２）「【００２４】 
　
検出器ユニット２は、
カメラ１１の開口部１１ｂに
着脱自在に配置された構成をしており
検出器ユニット２は、ユニット支持部材２Ａを介して装着される。
ユニット支持部材２Ａは、中空の円盤状（ドーナツ状）をしており、検出器ユニット２を装着する開口部１１ｂをカメラ１１の周方向に多数（装着する検出器ユニット２の数だけ）備えている。
　
（引１−３）「【００７２】
（デジタルＡＳＩＣ）
　次に、図７，図９を参照しながらデジタルＡＳＩＣ２６について説明する。
　
【００７３】
　図９はデジタルＡＳＩＣの機能構成を模式的に示したブロック図である。デジタルＡＳＩＣ２６は、図７に示すように、８個のタイミング検出部３５および１個の検出器制御部３６を含む検出信号処理部３４を１６組と、１個のデータ転送部３７とを有しており、これらをＬＳＩ化したものである。
　
【００７４】
　ＰＥＴ装置１に設けられた全てのデジタルＡＳＩＣ２６は、図示されていない、例えば、５００ＭＨｚのクロック発生回路（水晶発振器）からのクロック信号を受け、同期して動作している。各デジタルＡＳＩＣ２６に入力されたクロック信号は、全ての検出信号処理部３４内のそれぞれのタイミング検出部３５に入力される。
　
【００７５】
　タイミング検出部３５は、検出器２１ごとに設けられ、該当するアナログ信号処理回路３３のコンパレータ２４ｂからタイミング信号ＶＴが入力される。タイミング検出部３５はタイミング信号ＶＴが入力された時のクロック信号にもとづいてγ線の検出時刻を決定する。タイミング信号ＶＴは、アナログＡＳＩＣ２４のファースト系２４Ａの信号にもとづくものであるので、真の検出時刻に近い時刻を検出時刻（検出時刻情報）とすることができる。
　
【００７６】
　検出器制御部３６は、アドレス演算部３６ａ，検出時刻補正部３６ｂ，検出エネルギ補正部３６ｃ，パケットデータ生成部３６ｄ，ノイズ判定部３６ｅ，ノイズカウント部３６ｆ，検出器出力信号処理制御部（以下、制御部と称する）３６ｇを有している。」
　
（引１−４）「【０１５４】
　なお、本実施の形態においては、ノイズカウント部３６ｆで異常な検出器と判定した場合、制御部３６ｇはその信号を検出器制御部３６において以後処理させないようにする制御としていたが、それに限定するものではない。例えば、当該の検出器２１に対しての検出γ線エネルギ値に対する処理において、ノイズと判定されなかった検出γ線信号に対して、入射γ線エネルギの５１１ｋｅＶに対して所定のエネルギ幅を設けたエネルギウインドに対応したものだけを処理するように制限しても良い。」
　
（引１−５）「【０１８８】 
　前記したＮａＩ等のシンチレータと、光電子増倍管またはフォトダイオードとを組み合わせたγ線検出器を用いたＰＥＴ装置，ＳＰＥＣＴ装置にも本発明は適用できる。」 
  
　上記（引１−１）〜（引１−５）の摘記及び刊行物１全体を総合すると、刊行物１には、「核医学診断装置としてのＰＥＴ装置が、カメラ（撮像装置）、データ処理装置、操作コンソール等を含んで構成され、 
　該カメラの内部には、被検体Ｐから放出されるγ線（放射線）を検出するため、半導体放射線検出器を多数備えた結合基板（ユニット基板）を複数収納した検出器ユニットが、円周方向に多数配置されており、被検体Ｐの体内から放出されるγ線を検出する検出器を備え、
　該検出器ユニットは、γ線の検出エネルギ、検出時刻を計測するための集積回路（ＡＳＩＣ）を前記結合基板上に有しており、検出したγ線の検出エネルギや検出時刻を測定したり、γ線を検出した検出器のアドレスを検知したり、検出したγ線の検出エネルギのデータ（検出エネルギ値情報）、検出時刻のデータ（検出時刻情報）および前記した検出器のアドレスに対応する検出器ＩＤ（検出器アドレス情報）を含む情報をパケットデータ（検出放射線情報）としてデータ処理装置に出力するものであり、カメラの開口部にユニット支持部材を介して着脱自在に装着され、 
　該ユニット支持部材は、中空の円盤状（ドーナツ状）をしており、検出器ユニットを装着する開口部をカメラの周方向に多数（装着する検出器ユニットの数だけ）備えられているものである、ＰＥＴ装置。」の発明（以下、「刊行物１発明」という。）が記載されていると認められる。 
  
２　刊行物２に記載された事項　
　本願の優先権主張日前に頒布された特開２００４−１４４５２９号公報（以下、「刊行物２」という。）には、次の事項が記載されている。（下線は、参考のために当審が付したものである。） 
  
（引２−１）「【００２０】
　信号処理装置４０は、信号弁別装置２７，γ線弁別装置３２及び同時計数装置３４を有する。信号弁別装置２７は一層目の放射線検出器５ごとに設けられる。また、二層目及び三層目の放射線検出器５ごとにγ線弁別装置３２が設けられる。これらの３個の信号弁別装置２７及び６個のγ線弁別装置３２は、１つの基板２６に設置される。
基板２６に設置される
６個のγ線弁別装置３２によって信号弁別ユニット２５が構成される。
検出器ユニット４ごとに設けられる各信号弁別ユニット２５は、図４に示すように、信号弁別ユニット収納空間４４に配置されるユニット支持部材６６に取り付けられる。
　
（引２−２）「【００３６】 
　一層目の第２放射線検出器５から出力されたγ線検出信号は、切替スイッチ２８の作用によってγ線弁別装置３２に入力される。
ＰＥＴ用薬剤から放出された陽電子の消滅により患部５６から放出されるγ線のエネルギーは、５１１ｋｅＶである。
被検診者４２の体内でγ線が散乱した場合、エネルギーは５１１ｋｅＶより低くなる。γ線弁別装置３２は、散乱γ線を除去するため、例えばエネルギーが５１１ｋｅＶよりも低い４００ｋｅＶをエネルギー設定値として、このエネルギー設定値以上のエネルギーを有するγ線検出信号を通過させるフィルター（図示せず）を備えている。
γ線弁別装置３２は、γ線検出信号処理装置であり、出力するパルス信号に、時刻情報、及びγ線弁別装置３２に接続される放射線検出器５の位置を示す位置情報を付与する。
  
　上記（引２−１）及び（引２−２）の摘記及び刊行物２全体を総合すると、刊行物２には、「時刻情報を付与するとともに、被検診者の体内にあるＰＥＴ用薬剤から放出されたγ線が散乱した散乱γ線を除去するための装置であって、エネルギーが５１１ｋｅＶよりも低い４００ｋｅＶをエネルギー設定値として、このエネルギー設定値以上のエネルギーを有するγ線検出信号を通過させるフィルターを備えており、検出器ユニットごとに設けられる信号弁別ユニットに設けられるγ線弁別装置」が記載されていると認められる。 
　
　
第５　対比、判断 
１　対比
　本願発明と刊行物１発明を対比する。 
　
（１）刊行物１発明の「ＰＥＴ装置」は、本願発明の「核スキャン検出器システム」に相当する。 
　
（２）刊行物１発明の「ユニット支持部材」は、「検出器ユニット」を「カメラの開口部に」「着脱自在に装着」するためのものであり、「カメラ」に「備えられている」ものである。そして、刊行物１発明の「カメラ」は、γ線を検出して撮像するものであるから、刊行物１発明の「多数」の「ユニット支持部材」を「備え」た「カメラ」は、本願発明の「複数の核検出器器具を有する核スキャナ」に相当する。 
　
（３）刊行物１発明の「検出器ユニット」は、「カメラの開口部に」「着脱自在に装着」されるものであり、「検出したγ線の検出エネルギや検出時刻を測定したり、γ線を検出した検出器２１のアドレスを検知したり、検出したγ線の検出エネルギのデータ（検出エネルギ値情報）、検出時刻のデータ（検出時刻情報）および前記した検出器のアドレスに対応する検出器ＩＤ（検出器アドレス情報）を含む情報をパケットデータ（検出放射線情報）としてデータ処理装置に出力する」というように自律的な処理を行うものであるから、刊行物１発明の「カメラの開口部にユニット支持部材を介して着脱自在に装着され」る「多数」の「検出器ユニット」は、本願発明の「各検出器器具に着脱可能式に結合された一つまたは複数の自律的検出器モジュール（ADM）とを有しており、各ADMは前記検出器器具に対して個別に着脱可能であ」る構成に相当する。
　
（４）刊行物１発明の「多数」の「半導体放射線検出器」は、γ線を検出するものであるから、本願発明の「一つまたは複数のシンチレーション結晶を有するシンチレーション結晶アレイ」及び「前記シンチレーション結晶アレイの個別のセクタにおけるシンチレーション・イベントを検出する一つまたは複数の光検出器」と複数のγ線の検出器という点で共通する。 
　
（５）刊行物１発明の「検出器ユニット」は「γ線の検出エネルギ、検出時刻を計測するための集積回路（ＡＳＩＣ）」によって、「検出時刻のデータ（検出時刻情報）」「を含む情報をパケットデータ（検出放射線情報）としてデータ処理装置に出力するもの」であって、「検出エネルギ」と「検出時刻」をセットにすることは明らかであるから、刊行物１発明の「γ線の検出エネルギ、検出時刻を計測するための集積回路（ＡＳＩＣ）」と、本願発明の「検出された各シンチレーション・イベントにタイムスタンプ付けし、被験体内でコンプトン散乱されたイベントを除去するエネルギー・ゲーティング・プロトコルを実行し、タイムスタンプ付けされエネルギー・ゲーティングされたシンチレーション・イベント情報を出力する処理モジュールとをそのADM内に含んでいる」という構成とは、「検出結果にタイムスタンプ付けし、検出情報を出力する処理モジュールをそのADM内に含んでいる」という点で共通する。 
  
　してみると、本願発明と刊行物１発明は、 
　
「核スキャン検出器システムであって： 
　複数の核検出器器具を有する核スキャナと； 
　各検出器器具に着脱可能式に結合された一つまたは複数の自律的検出器モジュール（ADM）とを有しており、各ADMは前記検出器器具に対して個別に着脱可能であり、各ADMは：
　　複数のγ線の検出器 
　　検出結果にタイムスタンプ付けし、検出情報を出力する処理モジュールとをそのADM内に含んでいる、 システム。」 
　
で一致し、以下の点で相違している。 
　
　相違点１：γ線の検出器について、本願発明は、「シンチレーション結晶を有するシンチレーション結晶アレイ」と「前記シンチレーション結晶アレイの個別のセクタにおけるシンチレーション・イベントを検出する一つまたは複数の光検出器」の組合せであるのに対して、刊行物１発明は、半導体放射線検出器である点。
　
　相違点２：処理モジュールについて、本願発明は、「被験体内でコンプトン散乱されたイベントを除去するエネルギー・ゲーティング・プロトコルを実行」するものであるのに対して、刊行物１発明は、そのようなプロトコルを実行しない点。 
  
２　相違点の判断 
（１）相違点１について 
　上記（引１−５）で摘記したように刊行物１の段落【０１８８】には、γ線の検出器を、ＮａＩ等のシンチレータと光電子倍増管またはフォトダイオードとを組み合わせたγ線検出器とすることを示唆する記載がある。 
　そして、この示唆に接した当業者であれば、刊行物１発明において、本願発明のように「シンチレーション結晶を有するシンチレーション結晶アレイ」と「前記シンチレーション結晶アレイの個別のセクタにおけるシンチレーション・イベントを検出する一つまたは複数の光検出器」の組合せでγ線を検出するように構成することは、容易に想到できたものである。
  
（２）相違点２について 
　上記第４で述べたとおり、刊行物２には「時刻情報を付与するとともに、被検診者の体内にあるＰＥＴ用薬剤から放出されたγ線が散乱した散乱γ線を除去するための装置であって、エネルギーが５１１ｋｅＶよりも低い４００ｋｅＶをエネルギー設定値として、このエネルギー設定値以上のエネルギーを有するγ線検出信号を通過させるフィルターを備えており、検出器ユニットごとに設けられる信号弁別ユニットに設けられるγ線弁別装置」が記載されている。
　この刊行物２はＰＥＴという技術に関するものである点で刊行物１と共通している。また、刊行物１と刊行物２は、いずれも、γ線に関する時刻情報等を処理する構成を検出器ユニットごとに対応付けている点でも共通している。
　さらに、上記（引１−４）で摘記したように刊行物１の段落【０１５４】には「本実施の形態においては、ノイズカウント部３６ｆで異常な検出器と判定した場合、制御部３６ｇはその信号を検出器制御部３６において以後処理させないようにする制御としていたが、それに限定するものではない。例えば、当該の検出器２１に対しての検出γ線エネルギ値に対する処理において、ノイズと判定されなかった検出γ線信号に対して、入射γ線エネルギの５１１ｋｅＶに対して所定のエネルギ幅を設けたエネルギウインドに対応したものだけを処理するように制限しても良い。」と記載されている。つまり、当該記載は「入射γ線エネルギの５１１ｋｅＶに対して所定のエネルギ幅を設けたエネルギウインドに対応したものだけを処理」する機能を検出器制御部３６に追加することを示唆している。そして、上記（引１−３）で摘記した刊行物１の段落【００７３】と【００７６】の記載から、γ線の検出時刻を決定するタイミング検出部３５が設けられているＡＳＩＣに、ノイズカウント部３６ｆ及び制御部３６ｇを含む検出器制御部３６も設けられていることが理解されるところ、この理解を踏まえると、上記（引１−４）の摘記事項は「入射γ線エネルギの５１１ｋｅＶに対して所定のエネルギ幅を設けたエネルギウインドに対応したものだけを処理」する機能を、刊行物１発明における「検出時刻を計測するための集積回路（ＡＳＩＣ）」に設けることを示唆していると認められる。
　これらの共通性や示唆に接した当業者であれば、刊行物１発明において、体内で散乱したγ線の除去を目的として、刊行物２に記載されている、所定のエネルギーレベルにある信号だけを通過させる機能を、刊行物１発明の集積回路（ＡＳＩＣ）に設けること、すなわち、本願発明の上記相違点２に係る構成とすることは、容易に想到できたものである。 
  
（３）本願発明の効果について 
　本願発明が奏する効果は、刊行物１及び２の記載事項から当業者が予測できる範囲内のものであり、格別顕著なものとはいえない。 
  
（４）まとめ 
　したがって、本願発明は、刊行物１発明、並びに刊行物１及び２の記載事項に基づいて当業者が容易に発明をすることができたものである。 
　
　
第６　むすび
　以上のとおり、本願発明は、本願の優先権主張日前に頒布された上記刊行物１記載の発明、並びに刊行物１及び２の記載事項に基づいて当業者が容易に発明をすることができたものであるから、特許法第２９条第２項の規定により特許を受けることができない。 
　
　したがって、他の請求項について論及するまでもなく、本願は拒絶されるべきものである。
　
　よって、結論のとおり審決する。